(57)【要約】【課題】録音時間を無駄にすることなく、録音を完了させる。【解決手段】フラッシュメモリ部６に対して記録を行う記録再生装置１において、メインＣＰＵ２は、フラッシュメモリ部６に対する記録処理中に車両のアクセサリスイッチ３２がオフ状態とされたか否かを判別し、オフ状態とされた場合に、フラッシュメモリ部６に対する記録処理が終了するまでの時間が所定の記録継続基準時間以下である場合に、電源供給を継続して記録処理を完了させる。【選択図】図１
2007269173.tif 000002
【特許請求の範囲】
【請求項１】
記録媒体に対して記録を行う車載用情報機器において、
前記記録媒体に対する記録処理中に車両のアクセサリスイッチがオフ状態とされたか否かを判別するアクセサリスイッチ検出部と、
前記アクセサリスイッチがオフ状態とされた場合に、前記記録媒体に対する記録処理が終了するまでの時間が所定の記録継続基準時間以下であるか否かを判別する記録継続時間判別部と、
前記記録媒体に対する記録処理が終了するまでの時間が所定の記録継続基準時間以下である場合に、電源供給を継続し前記記録処理を完了させる記録制御部と、
を備えたことを特徴とする車載用情報機器。
【請求項２】
請求項１記載の車載用情報機器において、
前記記録媒体に対する記録処理が終了するまでの時間が所定の記録継続基準時間を超えている場合に、現在行っている記録処理を中止するとともに、前記現在の記録処理を含む今回の記録処理に関する情報を記憶する車載用情報機器。
【請求項３】
請求項２記載の車載用情報機器において、
前記記録制御部は、前記記録処理の中止後に前記アクセサリスイッチがオン状態とされた場合に、前記今回の記録処理に関する情報に基づいて、記録処理を再開することを特徴とする車載用情報機器。
【請求項４】
請求項１ないし請求項３のいずれかに記載の車載用情報機器において、
前記記録媒体は、半導体メモリ装置あるいは磁気ディスク装置であることを特徴とする車載用情報機器。
【請求項５】
請求項１ないし請求項４のいずれかに記載の記録装置において、
前記記録媒体に対する記録処理の記録対象の情報は、外部記憶媒体としての光ディスクあるいは光磁気ディスクから供給されることを特徴とする車載用情報機器。
【請求項６】
記録媒体に対して記録を行う車載用情報機器の制御方法において、
前記記録媒体に対する記録処理中に車両のアクセサリスイッチがオフ状態とされたか否かを判別するアクセサリスイッチ検出過程と、
前記アクセサリスイッチがオフ状態とされた場合に、前記記録媒体に対する記録処理が終了するまでの時間が所定の記録継続基準時間以下であるか否かを判別する記録継続時間判別過程と、
前記記録媒体に対する記録処理が終了するまでの時間が所定の記録継続基準時間以下である場合に、電源供給を継続し前記記録処理を完了させる記録制御過程と、
を備えたことを特徴とする車載用情報機器の制御方法。
【請求項７】
記録媒体に対して記録を行う車載用情報機器をコンピュータにより制御するための制御プログラムにおいて、
前記記録媒体に対する記録処理中に車両のアクセサリスイッチがオフ状態とされたか否かを判別させ、
前記アクセサリスイッチがオフ状態とされた場合に、前記記録媒体に対する記録処理が終了するまでの時間が所定の記録継続基準時間以下であるか否かを判別させ、
前記記録媒体に対する記録処理が終了するまでの時間が所定の記録継続基準時間以下である場合に、電源供給を継続して前記記録処理を完了させる、
ことを特徴とする制御プログラム。
【発明の詳細な説明】
【技術分野】
【０００１】
本発明は、車載用情報機器、車載用情報機器の制御方法および制御プログラムに係り、特に車載用情報機器によるデータ記録技術に関する。
【背景技術】
【０００２】
自動車などの車室内に設置される車載機器として、ＣＤなどの記録媒体から音楽データを読み出して、ハードディスク装置や半導体メモリ装置（例えば、フラッシュメモリ）に音楽データの圧縮を行って録音（記録）を行い、以降は圧縮した音楽データに基づいて再生を行う車載用オーディオ装置が知られている（例えば、特許文献１参照）。
【特許文献１】特開平５−１２８６３８号公報
【発明の開示】
【発明が解決しようとする課題】
【０００３】
ところで上記従来の車載用オーディオ装置においては、エンジン始動後に、例えば、ＣＤからフラッシュメモリに音楽データを圧縮して録音を行っている最中にアクセサリ（ＡＣＣ）スイッチがオフにされてしまうと、録音をいったん中止し、途中まで録音したデータ（ファイル）については、削除した後にエンジンを停止するように構成していた。
【０００４】
従って、録音に要した時間、例えば、クラッシック音楽のように長時間の録音を行っている場合には、かなりの長時間にわたって時間が無駄になってしまうという問題点があった。
そこで、本発明の目的は、録音時間を無駄にすることなく、録音を完了させることが可能な車載用情報機器、車載用情報機器の制御方法および制御プログラムを提供することにある。
【課題を解決するための手段】
【０００５】
上記課題を解決するため、記録媒体に対して記録を行う車載用情報機器において、前記記録媒体に対する記録処理中に車両のアクセサリスイッチがオフ状態とされたか否かを判別するアクセサリスイッチ検出部と、前記アクセサリスイッチがオフ状態とされた場合に、前記記録媒体に対する記録処理が終了するまでの時間が所定の記録継続基準時間以下であるか否かを判別する記録継続時間判別部と、前記記録媒体に対する記録処理が終了するまでの時間が所定の記録継続基準時間以下である場合に、電源供給を継続し前記記録処理を完了させる記録制御部と、を備えたことを特徴としている。
【０００６】
上記構成によれば、アクセサリスイッチ検出部は、記録媒体に対する記録処理中に車両のアクセサリスイッチがオフ状態とされたか否かを判別する。
これにより、記録継続時間判別部は、アクセサリスイッチがオフ状態とされた場合に、記録媒体に対する記録処理が終了するまでの時間が所定の記録継続基準時間以下であるか否かを判別し、記録制御部は、記録媒体に対する記録処理が終了するまでの時間が所定の記録継続基準時間以下である場合に、電源供給を継続し記録処理を完了させる。
【０００７】
この場合において、前記媒体に対する記録処理が終了するまでの時間が所定の記録継続基準時間を超えている場合に、現在行っている記録処理を中止するとともに、前記現在の記録処理以降の今回の記録処理に関する情報を記憶するようにしてもよい。
また、前記記録制御部は、前記記録処理の中止後に前記アクセサリスイッチがオン状態とされた場合に、前記今回の記録処理に関する情報に基づいて、記録処理を再開するようにしてもよい。
【０００８】
さらに、前記記録媒体は、半導体メモリ装置あるいは磁気ディスク装置であるようにしてもよい。
さらにまた、前記記録媒体に対する記録処理の記録対象の情報は、外部記憶媒体としての光ディスクあるいは光磁気ディスクから供給されるようにしてもよい。
【０００９】
また、記録媒体に対して記録を行う車載用情報機器の制御方法において、前記記録媒体に対する記録処理中に車両のアクセサリスイッチがオフ状態とされたか否かを判別するアクセサリスイッチ検出過程と、前記アクセサリスイッチがオフ状態とされた場合に、前記記録媒体に対する記録処理が終了するまでの時間が所定の記録継続基準時間以下であるか否かを判別する記録継続時間判別過程と、前記媒体に対する記録処理が終了するまでの時間が所定の記録継続基準時間以下である場合に、電源供給を継続し前記記録処理を完了させる記録制御過程と、を備えたことを特徴としている。
【００１０】
また、記録媒体に対して記録を行う車載用情報機器をコンピュータにより制御するための制御プログラムにおいて、前記記録媒体に対する記録処理中に車両のアクセサリスイッチがオフ状態とされたか否かを判別させ、前記アクセサリスイッチがオフ状態とされた場合に、前記記録媒体に対する記録処理が終了するまでの時間が所定の記録継続基準時間以下であるか否かを判別させ、前記媒体に対する記録処理が終了するまでの時間が所定の記録継続基準時間以下である場合に、電源供給を継続して前記記録処理を完了させる、ことを特徴としている。
【発明の効果】
【００１１】
本発明によれば、記録媒体に対する記録処理が終了するまでの時間が所定の記録継続基準時間以下である場合に、電源供給を継続し記録処理を完了させるので、それまでの録音時間を無駄にすることなく、録音を完了させることが可能となる。
【発明を実施するための最良の形態】
【００１２】
以下、図面を参照しつつ本発明の実施の形態について説明する。
［１］第１実施形態
図１は、第１実施形態に係る記録再生装置１の構成を示すブロック図である。
図１に示す記録再生装置１は、カーナビゲーション装置とカーオーディオ装置とを複合させた複合装置に適用したもので、本体部１ａとユーザインタフェース部１ｂとを備えている。
図１に示すように、本体部１ａは、メインＣＰＵ２と、メモリ部３と、インタフェース部４と、外部記憶媒体読取部５と、フラッシュメモリ部６と、エンコーダデコーダ部７と、オーディオ再生部８と、アンプ９と、スピーカ１０と、通信部１１と、表示制御部１２と、電源経路切替スイッチ１３と、を備えている。
メインＣＰＵ２（Central Processing Unit）は、当該記録再生装置１の各部の動作制御や、各種演算を実行する。
【００１３】
メモリ部３は、メインＣＰＵ２により実行される楽曲データ自動削除処理等、各種処理を実行するための制御プログラム等を格納するものであり、ＳＲＡＭ（Static ＲＡＭ）、ＳＤＲＡＭ（Synchronous ＤＲＡＭ）、Ｆｌａｓｈ  ＲＯＭなどから構成される。
インタフェース部４は、記録再生装置１が備える各構成要素（デバイス）間のインタフェースとして機能する回路であり、このインタフェース部４には、メインＣＰＵ２、メモリ部３が接続されるほか、次に説明する外部記憶媒体読取部５、フラッシュメモリ部６、エンコーダデコーダ部７、オーディオ再生部８、表示制御部１２が接続されている。
【００１４】
外部記憶媒体読取部５は、ＣＤ−ＲＯＭドライブやＤＶＤ−ＲＯＭドライブ等であり、音楽ＣＤ等の外部記憶媒体が装着可能に構成されている。外部記憶媒体読取部５は、装着された外部記憶媒体に記憶された楽曲データを読み取って、読み取った楽曲データをエンコーダデコーダ部７を介してオーディオ再生部８に出力するものである。
フラッシュメモリ部６は、楽曲データ、フォルダ名データ（ディスク名データ）、トラック名データ（楽曲名データ）等が記憶される。
エンコーダデコーダ部７は、符号器、復号器を備え、外部記憶媒体読取部５等から入力される楽曲データ信号に対して必要に応じて圧縮処理を行いインタフェース部４を介してフラッシュメモリ部６に出力し、フラッシュメモリ部６等からインタフェース部４を介して入力された楽曲データ信号に対して必要に応じ伸張処理を行い、オーディオ再生部８に出力するものである。
【００１５】
オーディオ再生部８は、外部記憶媒体読取部５またはフラッシュメモリ部６からエンコーダデコーダ部７を介して入力される楽曲データ信号に対して所定の信号処理を行うものである。また、図示しないラジオ受信部、ＴＶチューナー部、ＭＤ（Mini Disk）再生部などから入力される音声信号に対して所定の信号処理を行う。オーディオ再生部８において信号処理が施された楽曲データ信号はアンプ９で増幅されスピーカ１０を介して外部に音波として出力される。
通信部１１は、図示しない通信ネットワーク（インターネット、無線ＬＡＮなど）を介して外部のデータベースサーバなどにアクセス可能とされており、必要に応じてＣＤＤＢ（CD DataBase）を参照することができるようにされている。
【００１６】
表示制御部１２は、メインＣＰＵ２から出力される画像データ（例えば、操作メニュー表示のための画像データ、経路案内のための画像データ等）をＲＧＢ信号に変換して、ユーザインタフェース部１ｂが備えるＶＩＤＥＯ信号処理回路２３に出力するものである。
電源経路切替スイッチ１３は、メインＣＰＵ２の制御下で、車両のＡＣＣスイッチ３２経由で車載バッテリ３３から電源の供給を受ける電源経路とするか、車両のＡＣＣスイッチ３２を経由しないで車載バッテリ３３から直接電源の供給を受ける電源経路とするかを選択するための切替を行う。
【００１７】
ユーザインタフェース部１ｂは、入力部２１と、リモコン受光部２２と、ＶＩＤＥＯ信号処理回路２３と、表示器２４とを備えている。
入力部２１は、ユーザからの各種操作指示を受け付けるもので、タッチパネルあるいは操作子を備える。また、リモコン受光部２２は、図示せぬリモートコントロール装置からの指示信号を受光するものである。これら入力部２１およびリモコン受光部２２から、再生指示、再生スキップ指示等のユーザの操作指示が入力され、インタフェース部４に出力される。入力部２１およびリモコン受光部２２を介してユーザは各種操作を行えるが、音楽ＣＤ等の再生中に行われる代表的な操作として、停止、早送り、早戻し等の操作があり、これらの操作指示を行うための操作キー等の操作子（図示略）を備える。
【００１８】
ユーザにより早送りキーが選択操作されると、メインＣＰＵ２に対して再生スキップ指示が入力され、現在再生されている楽曲データの再生が中断され、次の楽曲データの再生が行われる。一方、早戻しキーが選択操作されると、現在再生されている楽曲データの再生が最初から再度行われる。
ＶＩＤＥＯ信号処理回路２３は、表示制御部１２からＲＧＢ信号を受け取り、表示器２４が表示すべき映像信号に変換して、表示器２４に出力するものである。
表示器２４は、地図や、ユーザに操作を促すための操作画面などを表示するものであり、例えば、液晶パネル等から構成できる。
【００１９】
図２は、実施形態の処理フローチャートである。
以下の説明においては、ＣＤ−ＤＡ（Compact Disc-Digital Audio）の録音時の処理について説明する。
まず、インタフェース部４は、外部記憶媒体であるＣＤ−ＤＡ３０の再生指示があると、ＣＤ−ＤＡ３０から供給される複数の楽曲データが外部記憶媒体読取部５において読み取られてオーディオ再生部８により所定の順序で楽曲データの再生が行われる。これと同時に、ＣＤ−ＤＡ３０から供給される楽曲データがメインＣＰＵ２の制御の下、フラッシュメモリ部６に録音（記憶）される。
【００２０】
この場合において、ＣＤ−ＤＡ３０から供給される楽曲データを外部記憶媒体読取部５において２倍速又は４倍速等の通常の再生速度よりも速い速度で読み出してフラッシュメモリ部６に録音（記憶）させながら、フラッシュメモリ部６に録音（記憶）された楽曲データを読み出してオーディオ再生部８において通常の再生速度で再生するようにしてもよい。また、外部記憶媒体読取部５においてＣＤ−ＤＡ３０から楽曲データを通常の速度で読み出してオーディオ再生部８で再生させるとともに、フラッシュメモリ部６に通常の速度で録音（記憶）させてもよい。さらに、それらをユーザが適宜設定することができるようにしてもよい。
【００２１】
これと並行してメインＣＰＵ２は、電源経路切替スイッチ１３を接点１３Ｂ側に切り替え、車両のＡＣＣスイッチ３２を経由しないで車載バッテリ３３から直接電源の供給を受ける電源経路とする。
その後、車両のイグニションキースイッチが操作され、ＡＣＣスイッチをオフする操作がなされると（ステップＳ２）、メインＣＰＵ２は、当該記録再生装置１に残録音時間が設定されているか否かを判別する（ステップＳ３）。
【００２２】
ここで、残録音時間の設定について説明する。
残録音時間とは、ＡＣＣスイッチがオフ状態とされた際に、録音処理を行っている場合に、車両の車載バッテリから直接電力を供給して録音処理を継続する時間のことである。すなわち、残録音時間を５分と設定した場合には、現在録音処理を行っているＣＤ−ＤＡ３０の音楽データの録音完了までに必要な残り時間が５分以下であれば、録音処理を継続し、音楽データの録音完了までに必要な残り時間が５分超である場合には、録音処理を中断するようにされる。この場合に残録音時間を短く設定すれば、録音が完了しない状態が増加し、長く設定すれば、車載バッテリの消費電力（＝車載バッテリの放電時間）が増加することとなるので、適宜設定する必要がある。
【００２３】
ステップＳ３の判別において、残録音時間が設定されている場合には（ステップＳ３；Ｙｅｓ）、メインＣＰＵ２は、録音完了までの残り時間が残録音時間設定値以下であるか否かを判別する（ステップＳ４）。
ステップＳ４の判別において、メインＣＰＵ２は、録音完了までの残り時間が残録音時間設定値以下である場合には（ステップＳ４；Ｙｅｓ）、録音処理を続行し（ステップＳ５）、録音処理を完了することとなる（ステップＳ６）。
これによりメインＣＰＵ２は、電源経路切替スイッチ１３を接点１３Ａ側に切り替え、車両のＡＣＣスイッチ３２を経由して車載バッテリ３３から電源の供給を受ける電源経路とする。
この結果、記録再生装置１は停止状態へと移行することとなる。
【００２４】
一方、ステップＳ４の判別において、メインＣＰＵ２は、録音完了までの残り時間が残録音時間設定値を超えている場合には（ステップＳ４；Ｎｏ）、録音処理の継続は困難であるので、録音を中断し現在の録音処理以降の録音処理（本来行うべきであった録音処理）に関する情報を記憶し（ステップＳ１０）、電源経路切替スイッチ１３を接点１３Ａ側に切り替え、車両のＡＣＣスイッチ３２を経由して車載バッテリ３３から電源の供給を受ける電源経路とする。
【００２５】
この結果、記録再生装置１は停止状態へと移行することとなる。
その後、車両のイグニションキースイッチが操作され、再びＡＣＣスイッチをオンする操作がなされると、記録再生装置１は起動して、メインＣＰＵ２は、各種初期化処理を行うとともに、再び電源経路切替スイッチ１３を接点１３Ｂ側に切り替え、車両のＡＣＣスイッチ３２を経由しないで車載バッテリ３３から直接電源の供給を受ける電源経路とする。
【００２６】
次にメインＣＰＵ２は、ステップＳ１０で記憶した録音中断に関する情報が記憶されているか否かを判別する（ステップＳ９）。
ステップＳ９の判別において、録音中断に関する情報が記憶されていない場合には（ステップＳ９；Ｎｏ）、処理を録音処理を終了する。
ステップＳ９の判別において、録音中断に関する情報が記憶されている場合には（ステップＳ；Ｙｅｓ）、メインＣＰＵ２は、録音を中断した録音処理を再度最初から行うとともに（ステップＳ１）、すべての録音処理が完了するように制御を行う。
【００２７】
以上の説明のように、本第１実施形態によれば、記録媒体に対する録音処理が終了するまでの時間が所定の残録音時間設定値（＝記録継続基準時間）以下である場合に、アクセサリスイッチを介さずに車載バッテリ３３から直接電源を供給する状態で録音前記記録処理を完了させるので、それまでの録音時間を無駄にすることなく、録音を完了させることが可能となるとともに、車載バッテリ３３の電圧が低下しすぎることもない。
【００２８】
［２］第２実施形態
図３は、第２実施形態に係る記録再生装置１の構成を示すブロック図である。
上記第１実施形態においては、メインＣＰＵ２が、電源供給をアクセサリスイッチ経由あるい車載バッテリ３３から直接のいずれかを電源経路切替スイッチ１３により切り替える構成を採っていたが、本第２実施形態は、メインＣＰＵ２はアクセサリスイッチのオン／オフ状態を検出し、車載バッテリ３３から直接供給されている電源を記録再生装置１の各部に供給するか否かを制御している場合の実施形態である。他の部分については、図１と同様であるので、詳細な説明を援用する。
【００２９】
次に、図２を参照して、第２実施形態の動作を説明する。
この場合において、車両のイグニションキースイッチが操作され、ＡＣＣスイッチをオン状態とする操作がなされることにより、メインＣＰＵ２は、車載バッテリ３３からの電源を当該記録再生装置１の各部に供給可能な状態としているものとする。
まず、インタフェース部４は、外部記憶媒体であるＣＤ−ＤＡ３０の再生指示があると、ＣＤ−ＤＡ３０から供給される複数の楽曲データが外部記憶媒体読取部５において読み取られてオーディオ再生部８により所定の順序で楽曲データの再生が行われる。これと同時に、ＣＤ−ＤＡ３０から供給される楽曲データがメインＣＰＵ２の制御の下、フラッシュメモリ部６に録音（記憶）される。
【００３０】
その後、車両のイグニションキースイッチが操作され、ＡＣＣスイッチをオフする操作がなされると（ステップＳ２）、メインＣＰＵ２は、当該記録再生装置１に残録音時間が設定されているか否かを判別する（ステップＳ３）。
【００３１】
ステップＳ３の判別において、残録音時間が設定されている場合には（ステップＳ３；Ｙｅｓ）、メインＣＰＵ２は、録音完了までの残り時間が残録音時間設定値以下であるか否かを判別する（ステップＳ４）。
ステップＳ４の判別において、メインＣＰＵ２は、録音完了までの残り時間が残録音時間設定値以下である場合には（ステップＳ４；Ｙｅｓ）、録音処理を続行し（ステップＳ５）、録音処理を完了することとなる（ステップＳ６）。
この後、メインＣＰＵ２により、車載バッテリ３３からの電源を当該記録再生装置１の各部への供給が停止され、記録再生装置１は停止状態へと移行することとなる。
【００３２】
一方、ステップＳ４の判別において、メインＣＰＵ２は、録音完了までの残り時間が残録音時間設定値を超えている場合には（ステップＳ４；Ｎｏ）、録音処理の継続は困難であるので、録音を中断し現在の録音処理以降の録音処理（本来行うべきであった録音処理）に関する情報を記憶し（ステップＳ１０）、車載バッテリ３３からの電源を当該記録再生装置１の各部への供給を停止する。
【００３３】
この結果、記録再生装置１は停止状態へと移行することとなる。
その後、車両のイグニションキースイッチが操作され、再びＡＣＣスイッチをオンする操作がなされると、記録再生装置１は起動して、メインＣＰＵ２は、メインＣＰＵ２は、車載バッテリ３３からの電源を当該記録再生装置１の各部に供給可能な状態とするとともに、各種初期化処理を行う。
【００３４】
次にメインＣＰＵ２は、ステップＳ１０で記憶した録音中断に関する情報が記憶されているか否かを判別する（ステップＳ９）。
ステップＳ９の判別において、録音中断に関する情報が記憶されていない場合には（ステップＳ９；Ｎｏ）、処理を録音処理を終了する。
ステップＳ９の判別において、録音中断に関する情報が記憶されている場合には（ステップＳ；Ｙｅｓ）、メインＣＰＵ２は、録音を中断した録音処理を再度最初から行うとともに（ステップＳ１）、すべての録音処理が完了するように制御を行う。
【００３５】
以上の説明のように、本第２実施形態によっても、記録媒体に対する録音処理が終了するまでの時間が所定の残録音時間設定値（＝記録継続基準時間）以下である場合に、アクセサリスイッチを介さずに車載バッテリから直接電源を供給する状態で録音前記記録処理を完了させるので、それまでの録音時間を無駄にすることなく、録音を完了させることが可能となるとともに、車載バッテリ３３の電圧が低下しすぎることもない。
【００３６】
［３］第３実施形態
図４は、第３実施形態に係る記録再生装置１の構成を示すブロック図である。
上記各実施形態においては、録音処理中にアクセサリスイッチがオフ状態となった場合には、車載バッテリ３３から電源の供給を継続して録音処理を完了させる場合であったが、本第３実施形態は、車載バッテリ３３とは別個に内蔵バッテリを設け、録音処理中にアクセサリスイッチがオフ状態となった場合には、内蔵バッテリから電源の供給を継続して録音処理を完了させる場合の実施形態である。
本第３実施形態の記録再生装置が第１実施形態の記録再生装置と異なる点は、上述した内蔵バッテリ５０を設けた点と、メインＣＰＵ２の制御下で、車載バッテリ３３から電源の供給を受ける電源経路とするか、内蔵バッテリ５０から電源の供給を受ける電源経路とするかを選択するための切替を行う電源経路切替スイッチ５１を設けた点である。ここで、内蔵バッテリ５０は、記録再生装置１に二次電池として内蔵あるいは外付けで設けられているものとする。
他の部分については、図１と同様であるので、詳細な説明を援用する。
【００３７】
次に図２を参照して、第３実施形態の動作を説明する。
初期状態において、車両のイグニションキースイッチが操作され、ＡＣＣスイッチをオンする操作がなされることにより、記録再生装置１のメインＣＰＵ２は、当該状態を検出し、電源経路切替スイッチ５１を車載バッテリ３３から電源の供給を受ける電源経路としているものとする。
まず、インタフェース部４は、外部記憶媒体であるＣＤ−ＤＡ３０の再生指示があると、ＣＤ−ＤＡ３０から供給される複数の楽曲データが外部記憶媒体読取部５において読み取られてオーディオ再生部８により所定の順序で楽曲データの再生が行われる。これと同時に、ＣＤ−ＤＡ３０から供給される楽曲データがメインＣＰＵ２の制御の下、フラッシュメモリ部６に録音（記憶）される。
【００３８】
この場合において、ＣＤ−ＤＡ３０から供給される楽曲データを外部記憶媒体読取部５において２倍速又は４倍速等の通常の再生速度よりも速い速度で読み出してフラッシュメモリ部６に録音（記憶）させながら、フラッシュメモリ部６に録音（記憶）された楽曲データを読み出してオーディオ再生部８において通常の再生速度で再生するようにしてもよい。また、外部記憶媒体読取部５においてＣＤ−ＤＡ３０から楽曲データを通常の速度で読み出してオーディオ再生部８で再生させるとともに、フラッシュメモリ部６に通常の速度で録音（記憶）させてもよい。さらに、それらをユーザが適宜設定することができるようにしてもよい。
【００３９】
これと並行してメインＣＰＵ２は、電源経路切替スイッチ５１を切り替え、内蔵バッテリ５０から電源の供給を受ける電源経路とする。
その後、車両のイグニションキースイッチが操作され、ＡＣＣスイッチをオフする操作がなされると（ステップＳ２）、メインＣＰＵ２は、当該記録再生装置１に残録音時間が設定されているか否かを判別する（ステップＳ３）。
【００４０】
ここで、第３実施形態における残録音時間の設定について説明する。
残録音時間とは、第１実施形態の場合と同様に、ＡＣＣスイッチがオフ状態とされた際に、録音処理を行っている場合に、内蔵バッテリ５０から電力を供給して録音処理を継続する時間のことであるが、残録音時間を短く設定すれば、録音が完了しない状態が増加し、長く設定すれば、内蔵バッテリ５０の消費電力（＝内蔵バッテリ５０の放電時間）が増加することとなるので、適宜設定する必要がある。
【００４１】
ステップＳ３の判別において、残録音時間が設定されている場合には（ステップＳ３；Ｙｅｓ）、メインＣＰＵ２は、録音完了までの残り時間が残録音時間設定値以下であるか否かを判別する（ステップＳ４）。
ステップＳ４の判別において、メインＣＰＵ２は、録音完了までの残り時間が残録音時間設定値以下である場合には（ステップＳ４；Ｙｅｓ）、録音処理を続行し（ステップＳ５）、録音処理を完了することとなる（ステップＳ６）。
これによりメインＣＰＵ２は、電源経路切替スイッチ５１を車載バッテリ３３側に切り替えるが、この状態では、車両のＡＣＣスイッチ３２はオフ状態であるので、記録再生装置１への電源供給は停止されており、記録再生装置１は停止状態へと移行することとなる。
【００４２】
一方、ステップＳ４の判別において、メインＣＰＵ２は、録音完了までの残り時間が残録音時間設定値を超えている場合には（ステップＳ４；Ｎｏ）、録音処理の継続は困難であるので、録音を中断し現在の録音処理以降の録音処理（本来行うべきであった録音処理）に関する情報を記憶し（ステップＳ１０）、電源経路切替スイッチ５１を車載バッテリ３３側に切り替えるが、この状態では、車両のＡＣＣスイッチ３２はオフ状態であるので、記録再生装置１への電源供給は停止されており、記録再生装置１は停止状態へと移行することとなる。
【００４３】
その後、車両のイグニションキースイッチが操作され、再びＡＣＣスイッチをオンする操作がなされると、記録再生装置１は起動して、メインＣＰＵ２は、各種初期化処理を行う。
このとき、電源経路切替スイッチ５１を車載バッテリ３３側であるので、車載バッテリ３３から記録再生装置１の各部への電源が供給されることとなる。
【００４４】
次にメインＣＰＵ２は、ステップＳ１０で記憶した録音中断に関する情報が記憶されているか否かを判別する（ステップＳ９）。
ステップＳ９の判別において、録音中断に関する情報が記憶されていない場合には（ステップＳ９；Ｎｏ）、処理を録音処理を終了する。
ステップＳ９の判別において、録音中断に関する情報が記憶されている場合には（ステップＳ；Ｙｅｓ）、メインＣＰＵ２は、録音を中断した録音処理を再度最初から行うとともに（ステップＳ１）、すべての録音処理が完了するように制御を行う。
【００４５】
以上の説明のように、本第３実施形態によっても、記録媒体に対する録音処理が終了するまでの時間が所定の残録音時間設定値（＝記録継続基準時間）以下である場合に、内蔵バッテリ５０から電源を供給する状態で録音前記記録処理を完了させるので、それまでの録音時間を無駄にすることなく、録音を完了させることが可能となるとともに、内蔵バッテリ５０の電圧が低下しすぎることもない。
【００４６】
以上の説明では、記録媒体として、フラッシュメモリの場合について説明したが、ハードディスク装置、他の磁気記録媒体、光磁気ディスク、光ディスクなどの記録媒体を用いるように構成することも可能である。
以上の説明では、車載装置として記録再生装置を例として説明したが、車載用コンピュータなどのように、データを記録媒体に書き込むような場合であっても本発明の適用が可能である。
【図面の簡単な説明】
【００４７】
【図１】第１実施形態の車載機器の概要構成ブロック図である。
【図２】実施形態の処理フローチャートである。
【図３】第２実施形態の車載機器の概要構成ブロック図である。
【図４】第３実施形態の車載機器の概要構成ブロック図である。
【符号の説明】
【００４８】
１  記録再生装置
１ａ  本体部
１ｂ  ユーザインタフェース部
２  メインＣＰＵ（アクセサリスイッチ検出部、記録継続時間判別部、記録制御部）
３  メモリ部
４  インタフェース部
５  外部記憶媒体読取部
６  フラッシュメモリ部６（記録媒体）
７  エンコーダデコーダ部
８  オーディオ再生部
９  アンプ
１０  スピーカ
１１  通信部
１２  表示制御部
１３、５１  電源経路切替スイッチ
５０  内蔵バッテリ
【図１】
2007269173.tif 000003
【図２】
2007269173.tif 000004
【図３】
2007269173.tif 000005
【図４】
2007269173.tif 000006